(57)【要約】【課題】  通常は電源スイッチが外部に露出せず、厨房装置の外観を損ねることがなく、また、電源スイッチが汚れたり、操作スイッチと混同して誤操作するおそれがない。【解決手段】  厨房装置１は、キャビネット２と電気機器３とを備え、更に、該電気機器３を操作するための操作スイッチ４と、電気機器３の電源スイッチ５を備えている。キャビネット２の外面の一部を構成する開閉自在な化粧パネル６を閉じることで電源スイッチ５を遮蔽すると共に化粧パネル６を開くことで上記電源スイッチ６を外部に露出させるように構成する。【選択図】図１
2010005048.tif 000002
【特許請求の範囲】
【請求項１】
キャビネットと電気機器とを備えた厨房装置において、電気機器を操作するための操作スイッチと、電気機器の電源スイッチを備え、厨房装置のキャビネットの外面の一部を構成する開閉自在な化粧パネルを閉じることで上記電源スイッチを遮蔽すると共に、化粧パネルを開くことで上記電源スイッチを外部に露出させるように構成して成ることを特徴とする厨房装置。
【請求項２】
キャビネットの前面部に操作スイッチを有する操作部を配設し、上記電源スイッチを遮蔽するための開閉自在な上記化粧パネルが、扉又は引き出しの扉板であり、該化粧パネルを構成する扉又は引き出しの扉板が上記操作部に隣接した位置に配設してあることを特徴とする請求項１記載の厨房装置。
【発明の詳細な説明】
【技術分野】
【０００１】
本発明は、キャビネットに電磁式加熱調理器のような電気機器を備えた厨房装置に関するものである。
【背景技術】
【０００２】
従来から、キャビネットに電磁式加熱調理器をビルドインした厨房装置が特許文献１により知られている。この特許文献１に示された従来例にあっては、電磁式加熱調理器は複数の電磁式加熱部を有しており、電磁式加熱調理器に設けた電源スイッチをオン、オフ操作することで、複数の電磁式加熱部を有する電磁式加熱調理器に電源を供給したり、電源供給を停止したりするようになっている。
【０００３】
また、電磁式加熱調理器の操作部には、各電磁式加熱部を操作する複数の個別操作手段を設けてあり、各個別操作手段にそれぞれ個別の電磁式加熱部の通電を制御するための入切操作スイッチ（点火・消火スイッチ）、火力調整を制御するための火力調整操作スイッチ等の操作スイッチが設けてある。
【０００４】
そして、通常は電源スイッチをオンの状態にしておくものであり、この状態で、複数の電磁式加熱部のうち使用しようとする任意の電磁式加熱部に鍋などを載置し、当該電磁式加熱部に対応する個別操作手段に設けた入切操作スイッチをオンにすることで、対応する電磁式加熱部に通電して誘導加熱により鍋を加熱すると共に、個別操作手段に設けた火力調整操作スイッチを操作して火力調整を行うことができるようになっている。
【０００５】
電磁式加熱調理器には電源遮断用として電源スイッチを設けてあり、操作スイッチが何らかの原因で操作できない場合、電源スイッチをオフにすることで、電磁式加熱調理器の電源を遮断するようになっている。
【０００６】
ところが従来にあっては上記電源遮断用に設ける電源スイッチがキャビネットにビルドインした電磁式加熱調理器の前面や上面（トッププレート）において外部に露出するように設けてあり、このように日ごろ操作することのない電源スイッチが外部に露出しているため、厨房装置の外観を損ねるという問題があり、また、電源スイッチが外部に露出しているため、電源スイッチが汚れ易すいと共に、操作スイッチと混同して誤操作するおそれがあった。
【特許文献１】特開２００３−１２３９５３号公報
【発明の開示】
【発明が解決しようとする課題】
【０００７】
本発明は上記の従来の問題点に鑑みて発明したものであって、通常は電源スイッチが外部に露出せず、厨房装置の外観を損ねることがなく、また、電源スイッチが汚れたり、操作スイッチと混同して誤操作するおそれがない厨房装置を提供することを課題とするものである。
【課題を解決するための手段】
【０００８】
本発明の厨房装置１は、キャビネット２と電気機器３とを備え、更に、該電気機器３を操作するための操作スイッチ４と、電気機器３の電源スイッチ５を備えている。そして、本発明の厨房装置１は、キャビネット２の外面の一部を構成する開閉自在な化粧パネル６を閉じることで上記電源スイッチ５を遮蔽すると共に、化粧パネル６を開くことで上記電源スイッチ６を外部に露出させるように構成して成ることを特徴とする。
【０００９】
このような構成とすることで、通常時は電源スイッチ５をオンにして厨房装置１に設けた電気機器３に電源供給をおこなった状態のままでキャビネット２の外面の一部を構成する開閉自在な化粧パネル６を閉じて電源スイッチ５が外部に露出しないようにする。この状態で操作スイッチ４を操作して電気機器３の操作を行う。一方、操作スイッチ４が何らかの原因により操作できない場合、あるいは、長期間の旅行などで家を留守にする場合など、化粧パネル６を開いて電源スイッチ５を露出させ、電源スイッチ５をオフ操作して厨房装置１に設けた電気機器３への電源供給を遮断する。これにより、通常時は電源スイッチ５を外部に露出させず、必要な時に電源スイッチ５を露出させて厨房装置１の電気機器３の電源を遮断することができる。
【００１０】
また、キャビネット２の前面部に操作スイッチ４を有する操作部７を配設し、上記電源スイッチ５を遮蔽するための開閉自在な上記化粧パネル６が、扉又は引き出し１６の扉板１７であり、該化粧パネル６を構成する扉又は引き出し１６の扉板１７が上記操作部７に隣接した位置に配設してあることが好ましい。
【００１１】
このようにキャビネット２の扉又は引き出し１６の扉板１７により化粧パネル６を構成することで、電源スイッチ５を遮蔽するための別途特別な部材を必要としない。
【発明の効果】
【００１２】
本発明は、上記のように、キャビネットの外面の一部を構成する開閉自在な化粧パネルを閉じることで電源スイッチを遮蔽すると共に、化粧パネルを開くことで電源スイッチを外部に露出させるように構成したので、通常時に電源スイッチが外部に露出しない。しかも、電源スイッチを遮蔽する部材がはキャビネットの外面の一部を構成する化粧パネルであるため、閉じた状態ではキャビネットの外観を損なうことなく、また、別部材の遮蔽部材を必要としない。この結果、厨房装置の外観が良くなり、また、電源スイッチが汚れ難く、更に、操作スイッチと混同して誤操作するおそれがないものであり、また、何らかの原因で操作スイッチが操作できない場合は、キャビネットの外面の一部を構成する化粧パネルを開いて電源スイッチを露出することで、簡単に厨房装置に設けた電気機器への電源を遮断することができる。
【００１３】
また、電源スイッチを遮蔽するための開閉自在な上記化粧パネルが、扉又は引き出しの扉板であるので、厨房装置のキャビネットの扉又は引き出しの扉板を電源スイッチを遮蔽するための化粧パネルとして兼用できて、構成を簡略化できる。
【発明を実施するための最良の形態】
【００１４】
以下、本発明を添付図面に示す実施形態に基いて説明する。
【００１５】
厨房装置１は、図１、図２に示すように、キャビネット２、電気機器３を備えたものである。キャビネット２は、上方及び前方に開口する箱状のキャビネット本体２ａに上面を構成するカウンター９を載設して構成してある。
【００１６】
添付図面に示す実施形態においては電気機器３が電磁式加熱調理器３ａの場合の例が示してある。
【００１７】
電磁式加熱調理器３ａは複数の電磁式加熱部１０を有する電磁式加熱調理器本体１１と、操作部７とよりなる。
【００１８】
添付図面に示す実施形態では電磁式加熱調理器本体１１と操作部７とは別体となっている。電磁式加熱調理器本体１１はカウンター９に設けた上開口部からキャビネット本体２ａ内の上部に嵌め込んで、電磁式加熱調理器本体１１の上面プレート１１ａをカウンター９の上面に露出させるように取付けてある。
【００１９】
操作部７はキャビネット本体２ａの前面に設けた前開口１６の上部からキャビネット本体２ａ内の上部に嵌め込んで取付けてある。
【００２０】
添付図面に示す実施形態では、操作部７は、ベース部材１３とベース部材１３に対して前方に引き出し自在に取付けた操作ユニット１４とで構成してある。ベース部材１３はキャビネット本体２ａに取付けてあって、操作ユニット１４を引き出すことで図２に示すようにキャビネット本体２ａの前面よりも前方に突出することができ、操作ユニット１４を押し込むことで、操作ユニット１４をキャビネット本体２ａ内に収納することができるようになっている。
【００２１】
操作ユニット１４には図２に示すように、電磁式加熱調理器本体１１に設けた複数の電磁式加熱部１０をそれぞれ操作するための複数の個別操作手段１２が設けてあり、各個別操作手段１２にはそれぞれ個別の電磁式加熱部１０の通電を制御するための入切操作スイッチ（点火・消火スイッチ）、火力調整を制御するための火力調整操作スイッチ等の操作スイッチ４が設けてある。これらの操作スイッチ４は操作ユニット１４の上面に露出していて、操作ユニット１４を図２に示すようにキャビネット本体２ａの前面上部から前方に引き出した状態で操作スイッチ４が上方に露出するので、操作スイッチ４の操作が上方から容易に行えるようになっている。
【００２２】
上記操作部７に設けた操作スイッチ４は電磁式加熱調理器本体１１に対して有線又は無線で接続してある。
【００２３】
図１、図３に示すように、操作ユニット１４を後方に押し込んだ状態で操作ユニット１４の前面よりもベース部材１３の前面１３ａが後方にずれて位置している。つまり、操作ユニット１４の押し込んだ状態で、操作ユニット１４の前面が操作部７の上部前面を構成すると共に、ベース部材１３の前面１３ａが操作部７の下部前面を構成し、操作部７の前面下部が前面上部よりも後方に後退した段部８となっている。
【００２４】
ベース部材１３には厨房装置１に備えた電気機器３（実施形態では電磁式加熱調理器３ａ）の電源スイッチ５が取付けあり、該電源スイッチ５のスイッチ操作手段５ａが上記操作部７の前面下部の段部８であるベース部材１３の前面１３ａに位置するように取付けてある。電源スイッチ５の取付けに当たって図５に示す実施形態では、ベース部材１３の前面１３ａに設けた孔部１３ｂから電源スイッチ５を嵌め込んで電源スイッチ５の側面に設けた係止爪５ｂを孔部１３ｂの縁に係止することで取付けてある。
【００２５】
電源スイッチ５としては、電磁式加熱調理器本体１１に設けた複数の電磁式加熱部１０にそれぞれ対応して各電磁式加熱部１０への電源の供給をオン、オフする複数の電源スイッチ５を設けてもよく、あるいは、複数の電磁式加熱部１０に対して一括して電源の供給をオン、オフする一つの電源スイッチ５を設けてもよい。
【００２６】
上記のように段部８に設けた電源スイッチ５はキャビネット２の外面の一部を構成する後述の開閉自在な化粧パネル６により遮蔽されるようになっている。
【００２７】
箱状のキャビネット本体２ａの内部は、上記電磁式加熱調理器３ａを配設した部分の下方空間が収納部１５となっており、この収納部１５はキャビネット本体２ａの前開口２０部分で前方に開口している。
【００２８】
収納部１５には引き出し１６を前方に引き出し自在に設けてあって、引き出し１６を収納部１５内に収納した状態で、引き出し１６の扉板１７で上記キャビネット本体２ａの前開口２０を閉じ、引き出し１６を前方に移動させることで、扉板１７が上記前開口２０から離れて前開口２０を開くようになっている。また、引き出し１６に代えて、キャビネット本体２ａの前開口２０に開閉自在な扉を枢支して取付けてもよい。
【００２９】
これらキャビネット２の前面に開閉自在に設けてキャビネット２の外面の一部を構成する部材である扉又は引き出し１６の扉板１７が、本発明における上記キャビネット２の外面の一部を構成する開閉自在な化粧パネル６を構成しており、この開閉自在な化粧パネル６を閉じることで、上記操作部７に隣接して配設した電源スイッチ５を遮蔽するようになっている。
【００３０】
つまり、添付図面に示す実施形態では化粧パネル６を構成する引き出し１６の扉板１７の上端部がベース部材１３の前面１３ａを覆うための覆い部１８となっており、開閉自在な化粧パネル６である引き出し１６の扉板１７を閉じることで、扉板１７の上端部の覆い部１８でベース部材１３の前面１３ａを覆って、前面１３ａに設けた電源スイッチ５のスイッチ操作手段が外部に露出しないようにする。
【００３１】
この開閉自在な化粧パネル６である引き出し１６の扉板１７を閉じてベース部材１３の前面１３ａを覆った状態で、図１、図３に示すように化粧パネル６の前面と操作部７の前面上部とが面一となり、化粧パネル６を閉じた際に操作部７との間で段差がなくて外観を良くすることができる。
【００３２】
ここで、化粧パネル６を構成する引き出し１６の扉板１７（又は扉）を閉じた際に、引き出し１６の扉板１７（又は扉）が、ベース部材１３の前面１３ａに設けた電源スイッチ５のスイッチ操作手段に当ってスイッチ操作手段を誤操作しないような構成となっている。すなわち、図３に示すように、キャビネット本体２ａの前開口２０の開口縁（又は、ベース部材１３の前面１３ａ、又は、引き出し１６の扉板１７（又は扉）よりなる化粧パネル６の背面外周部）にパッキン１９を設け、化粧パネル６を閉じた際に化粧パネル６の背面がパッキン１９に当たって電源スイッチ５のスイッチ操作手段との間に小間隙が形成されスイッチ操作手段を誤操作しないようにする。
【００３３】
上記のような構成の厨房装置１は、引き出し１６の扉板１７（又は扉）よりなる化粧パネル６を開いて図４に示すように、電源スイッチ５を露出させて電源スイッチ５をオン操作して電気機器３である電磁式加熱調理器３ａに電源を供給する。このように電源スイッチ５をオンにしたまま図１、図３のように化粧パネル６を閉じて電源スイッチ５が外部に露出しないようにする。電磁式加熱調理器３ａの使用に当たっては、複数の電磁式加熱部１０のうち任意の電磁式加熱部１０の上に鍋等を載置し、操作ユニット１４を前方に引き出し、該当する電磁式加熱部１０に対応した個別操作手段１２の操作スイッチ４を操作することで、点火、火力調整を行う。調理が終われば、操作スイッチ４を操作して消火する。
【００３４】
このように通常の使用の際は、電源スイッチ５をオンにしたまま外部に露出しないように化粧パネル６で遮蔽することで、電源スイッチ５が汚れず、また、操作スイッチ４と誤って電源スイッチ５を誤操作することもなく、更に、電源スイッチ５が外部に露出しないため、厨房装置１が外観を良くすることができる。
【００３５】
一方、操作スイッチ４が何らかの原因で操作できない場合、あるいは、旅行等で長期間家を留守にするような場合は、化粧パネル６を開いて電源スイッチ５を露出させ、電源スイッチ５をオフにすることで電磁式加熱調理器３ａの電源を遮断することができる。
【００３６】
図６には本発明の他の実施形態が示してある。本実施形態においては、操作ユニット１４の横に隣接して電源スイッチ５が配設してあり、該電源スイッチ５をキャビネット２の外面の一部を構成する開閉自在なカバー用の化粧パネル６で覆ってある。
【００３７】
上記化粧パネル６は枢支軸６ａにより開閉自在に枢支してあって、通常は化粧パネル６を閉じて電源スイッチ５を遮蔽することで、化粧パネル６がキャビネット２の外面の一部を構成している。一方、電源スイッチ５を操作する場合は、化粧パネル６を開いて電源スイッチ５を露出させることで電源スイッチ５の操作ができる。
【００３８】
本実施形態において、操作部７のベース部材１３の長手方向の一側端部の上端に上方に向けて電源スイッチ取付け部１３ｃを設け、この電源スイッチ取付け部１３ｃに電源スイッチ５を取付け、また、該電源スイッチ取付け部１３ｃに枢支軸６ａにより化粧パネル６が開閉自在に枢支してある。
【００３９】
また、本実施形態において、上記電源スイッチ取付け部１３ｃは前方に向けて突出しており、カバー用の化粧パネル６を閉じた状態で、操作ユニット１４を押し込んでキャビネット本体２ａ内に収納した状態の操作ユニット１４の前面と面一となるように構成してあって外観を良くしている。
【００４０】
なお、上記実施形態では、ベース部材１３に対して操作スイッチ４を備えた操作ユニット１４を引き出し自在に取付けることで操作部７を構成した例を示したが、操作スイッチ４を有する操作部７としては、カンガルーポケットタイプの回動自在な操作部７の上面に操作スイッチ４を設けたものでもよく、あるいは、電気機器３（電磁式加熱調理器３ａ）の前面又は上面に固定的に操作スイッチ４を有する操作部７を設けたものであってもよい。
【００４１】
また、上記実施形態では厨房装置１に備える電気機器３として（電磁式加熱調理器３ａ）の例を示したが、電磁式加熱調理器３ａのみに限定されず、厨房装置１に備えられる換気扇、浄水器等の他の電気機器であってもよい。
【図面の簡単な説明】
【００４２】
【図１】本発明の厨房装置の断面図である。
【図２】同上の操作ユニットを引き出した状態の斜視図である。
【図３】同上の要部拡大断面図である。
【図４】同上の化粧パネルを開いて電源スイッチを露出させた状態の斜視図である。
【図５】同上の電源スイッチの取付けを示す斜視図である。
【図６】本発明の他の実施形態の斜視図である。
【符号の説明】
【００４３】
１  厨房装置
２  キャビネット
３  電気機器
４  操作スイッチ
５  電源スイッチ
６  化粧パネル
７  操作部
８  段部
【図１】
2010005048.tif 000003
【図２】
2010005048.tif 000004
【図３】
2010005048.tif 000005
【図４】
2010005048.tif 000006
【図５】
2010005048.tif 000007
【図６】
2010005048.tif 000008